(57)【特許請求の範囲】
【請求項１】
往信葉書片と返信葉書片とが折目を介して連接された往復葉書であって、前記返信葉書片の裏面には各質問項目毎に複数の選択肢に対応した塗り潰し欄を備えたアンケート欄が設けられ、各質問項目に対応し且つ前記折目と対向する側縁にＯＭＲ装置で読み取るためのマークが予め設けられていることを特徴とするマークシート往復葉書。
【請求項２】
さらに前記返信葉書片の表面の下部には各質問項目毎に複数の選択肢に対応した塗り潰し欄を備えたアンケート欄が設けられ、各質問項目に対応し且つ前記折目と対向する側縁にＯＭＲ装置で読み取るためのマークが予め設けられていることを特徴とする請求項１記載のマークシート往復葉書。
【請求項３】
往信葉書片と返信葉書片とが折目を介して連接された往復葉書であって、返信葉書片の表面の下部には各質問項目毎に複数の選択肢に対応した塗り潰し欄を備えたアンケート欄が設けられ、各質問項目に対応し且つ前記折目と対向する側縁にＯＭＲ装置で読み取るためのマークが予め設けられていることを特徴とするマークシート往復葉書。
【発明の詳細な説明】
【０００１】
【産業上の利用分野】
本発明は返信葉書片が光学マーク読み取り装置（以下ＯＭＲという）にて読み取ることができるマークシートとして使用する往復葉書に関する。
【０００２】
【従来の技術】
従来、往復葉書において返信葉書をマークシート方式のアンケート用紙として利用できるものとしては、図３に示すように、返信葉書片２の裏面をマークシート方式のアンケート用紙として使用し、返信葉書片２の裏面の折目線３側の側縁に隣接してＯＭＲで読み取るためのマーク４が設けられたものが知られている。しかしながら、上記のような往復葉書においては往信葉書片１と返信葉書片２を切り離す際に、折目線３上で正確にカツトされればよいが、折目線３からずれた位置でカツトされた場合には、マーク４の一部がカツトされて欠けるか、ないしはマーク４の端部に余白が付着した状態で切り離されることになるので、返信葉書片２の端縁に沿つた所定位置に所定形状のマーク４が形成された状態でなくなり、ＯＭＲにて読み取る際に正確に読み取れなくなるという欠点があつた。
【０００３】
【発明が解決しようとする課題】
本発明は、往復葉書の往信葉書片と返信葉書片とを折目線にて切り離す際に、カツト位置が多少ずれることがあつても、ＯＭＲでの読み取りに影響を及ぼすことのないマークシート方式のアンケート用紙として使用できる往復葉書を提供することである。
【０００４】
【課題を解決するための手段】
往信葉書片と返信葉書片とが折目を介して連接された往復葉書であって、前記返信葉書片の裏面には各質問項目毎に複数の選択肢に対応した塗り潰し欄を備えたアンケート欄が設けられ、各質問項目に対応し且つ前記折目と対向する側縁にＯＭＲ装置で読み取るためのマークが予め設けられていることを特徴とするマークシート往復葉書である。
【０００５】
さらに前記返信葉書片の表面の下部には各質問項目毎に複数の選択肢に対応した塗り潰し欄を備えたアンケート欄が設けられ、各質問項目に対応し且つ前記折目と対向する側縁にＯＭＲ装置で読み取るためのマークが予め設けられていることを特徴とする上記のマークシート往復葉書である。或いは、往信葉書片と返信葉書片とが折目を介して連接された往復葉書であって、返信葉書片の表面の下部には各質問項目毎に複数の選択肢に対応した塗り潰し欄を備えたアンケート欄が設けられ、各質問項目に対応し且つ前記折目と対向する側縁にＯＭＲ装置で読み取るためのマークが予め設けられていることを特徴とするマークシート往復葉書である。
【０００６】
【作用】
返信葉書片の裏面にアンケート欄を設けると共に、返信葉書片の裏面の折目線と対向する側縁にＯＭＲ装置で読み取るためのマークを予め設けた構成とすることにより、折目線にて往信葉書片と返信葉書片とを切り離す際にカット位置が多少ずれることがあっても、ＯＭＲ装置にてマークを正確に読み取ることができる。
【０００７】
【実施例】
以下、図面を引用して本発明を説明する。
図１は本発明の第１実施例のアンケート往復葉書における、（イ）は往信葉書片の表面および返信葉書片の裏面を表す平面図、（ロ）は返信葉書片の表面および往信葉書片の裏面を表す平面図、図２は本発明の第２実施例のアンケート往復葉書における返信葉書片の表面および往信葉書片の裏面を表す平面図、図３は従来のアンケート往復葉書における往信葉書片の表面および返信葉書片の裏面を表す平面図であり、１は往信葉書片、２は返信葉書片、３は折目線、４はマーク、５は塗りつぶし欄をそれぞれ表す。
【０００８】
本発明の第１実施例のアンケート往復葉書は図１に示すとおりであり、一方の面には（イ）のように、往信葉書片１の表面と返信葉書片２の裏面とが折目線３を介して連接され、他方の面には（ロ）のように返信葉書片２の表面と往信葉書片１の裏面とが折目線３を介して連接されて構成されており、返信葉書片２の裏面にはアンケート欄が葉書の上下方向と逆向きに設けられ、返信葉書片２の裏面の折目線３と対向する側縁にはＯＭＲにて読み取り可能なマーク４が形成されている。アンケート欄には各質問項目毎に複数の選択肢に対応した塗り潰し欄５が形成されており、それぞれの質問項目に対応させてマーク４が形成されている。往信葉書片１の裏面にはアンケートに対する連絡事項等が記載されている。
【０００９】
ＯＭＲにてアンケート欄に記入された塗りつぶし欄５を読み取る際に、アンケート欄を上向きにしてアンケート欄の上部からＯＭＲに通すのが普通であり、その時にマーク４が左側端に位置するようにマーク４を設けておくことが必要である。この条件を満たすために、上記の実施例においては、アンケート欄を葉書の上下方向と逆向きに設け、マーク４を切目線３と対向する側縁に設けているのであるが、マーク４の位置をそのままにしてアンケート欄を葉書の上下方向と一致させて設けることも可能である。即ち、アンケート欄を葉書の上下方向と一致させて正向きに設け、マーク４の位置は上記実施例と同様に設けておき、アンケート欄の下部からＯＭＲに挿入して読取るようにする方法である。しかしながら、その場合にはアンケート欄の番号の大きい方から読取ることになるので、ＯＭＲのプログラム上で順番を逆転するように処理することが必要になる。
【００１０】
返信葉書片２の裏面に葉書の上下方向と逆向きにアンケート欄を設けると共にマーク４を切目線３と対向する側縁に設けておくことにより、送付されたアンケート往復葉書のアンケート欄に設けられている塗りつぶし欄５を塗りつぶすことにより回答を記入した後、往信葉書片１と返信葉書片２とを折目線３にて切り離す際にカツト位置が折目線３から多少ずれることがあつても、マークが返信葉書片２の裏面の折目線３と対向する側縁に設けられているので、マークを切り欠いたりマークの端縁に余白が付着することがなくマークの形状、大きさに影響を及ぼすことがない。したがつて、回収した返信葉書片２をＯＭＲにて読み取り回答データを集計するに際して読み取り不良を起こすことがない。
【００１１】
本発明の第２実施例のアンケート往復葉書は図２に示すように、一方の返信葉書片２の表面側の面には、返信葉書片２の表面と往信葉書片１の裏面とが折目線３を介して連接され、返信葉書片２の表面の下部にアンケート欄が設けられていると共にアンケート欄の質問事項に対応した左側端にＯＣＲにて読み取り可能なマーク４が形成されている。他方の往信葉書片１の表面と返信葉書片２の裏面からなる面は、図１（イ）に示すように実施例１と同様に形成されている。
【００１２】
第２実施例のように構成することにより、アンケートの質問項目が多い場合においても、返信葉書片２の裏面に納まらないアンケートの質問項目を返信葉書片２の表面の下部のアンケート欄に振り分けることで対応することができる。アンケートの質問項目が少なく、返信葉書片２の裏面のアンケート欄を葉書と上下方向逆向きに設けるのが好ましくない場合には、返信葉書片２の裏面にアンケート欄を設けずに返信葉書片２の表面の下部のみにアンケート欄を設けるようにしてもよい。
【００１３】
【発明の効果】
往信葉書片と返信葉書片とが折目線を介して連接された往復葉書において、返信葉書片裏面にアンケート欄を設けると共に、返信葉書片の裏面の折目線と対向する側縁にＯＭＲ装置で読み取るためのマークを設けた構成のマークシート往復葉書とすることにより、往信葉書片と返信葉書片を切り離す際にカツト位置が多少ずれることがあつても、ＯＭＲでのマークの読み取りに影響しないマークシート方式のアンケート用紙として返信葉書片を使用することができる。
【図面の簡単な説明】
【図１】本発明の第１実施例のアンケート往復葉書における、（イ）は往信葉書片の表面および返信葉書片の裏面を表す平面図、（ロ）は返信葉書片の表面および往信葉書片の裏面を表す平面図。
【図２】本発明の第２実施例のアンケート往復葉書における返信葉書片の表面および往信葉書片の裏面を表す平面図。
【図３】従来のアンケート往復葉書における往信葉書片の表面および返信葉書片の裏面を表す平面図。
【符号の説明】
１  往信葉書片
２  返信葉書片
３  折目線
４  マーク
５  塗りつぶし欄
【図１】
0003585559.tif 000002
【図２】
0003585559.tif 000003
【図３】
0003585559.tif 000004